(57)【要約】【課題】  椅子の脚柱に足載せ台の保持部を外嵌し、所定高さに足載せ台を保持するとともに、簡単な構造によって足載せ台のずり落ちを確実に防止することができる椅子の足載せ台高さ調節装置を提供する。【解決手段】  脚部１に立設した脚柱６の上端に座部２を取付け、該脚柱に足載せ台４の保持部１６を外嵌して所定高さに保持する構造の椅子の足載せ台高さ調節装置であって、保持部より下方の脚柱に、単又は複数の規制部材２１を嵌着して該保持部を当止し、足載せ台の下降を規制する。規制部材は、平面視略Ｃ字形の弾性変形可能な部材、あるいはリング状の一体部材又は複数の部材を組み合わせたリング状の複合部材であり、複数の規制部材を脚柱に上下重ねて嵌着可能とした。【選択図】        図２
2010279413.tif 000002
【特許請求の範囲】
【請求項１】
脚部に立設した脚柱の上端に座部を取付け、該脚柱に足載せ台の保持部を外嵌して所定高さに保持する構造の椅子の足載せ台高さ調節装置であって、前記保持部より下方の前記脚柱に、単又は複数の規制部材を嵌着して該保持部を当止し、前記足載せ台の下降を規制することを特徴とする椅子の足載せ台高さ調節装置。
【請求項２】
前記規制部材は、平面視略Ｃ字形の弾性変形可能な部材であり、複数の該規制部材を前記脚柱に側方から嵌着して上下に積層し、前記足載せ台の保持部は前記脚柱に上方から嵌合し又は側方から嵌合して保持する構造である請求項１記載の椅子の足載せ台高さ調節装置。
【請求項３】
前記規制部材は、リング状の一体部材又は複数の部材を組み合わせたリング状の複合部材であり、複数の該規制部材を前記脚柱に嵌着して上下に積層し、前記足載せ台の保持部は前記脚柱に上方から嵌合し又は側方から嵌合して保持する構造である請求項１記載の椅子の足載せ台高さ調節装置。
【請求項４】
前記脚部は、放射状に延びた複数の支脚の中心部に脚柱を立設し、該支脚の中心部の支持台と前記足載せ台の保持部の間の前記脚柱に、単又は複数の規制部材を嵌着してなる請求項１〜３何れかに記載の椅子の足載せ台高さ調節装置。
【請求項５】
前記保持部より下方の前記脚柱に嵌着する規制部材の枚数を調節して前記足載せ台の高さを調節し、不要な規制部材を保持部より上方の前記脚柱に嵌着して保管してなる請求項１〜４何れかに記載の椅子の足載せ台高さ調節装置。
【発明の詳細な説明】
【技術分野】
【０００１】
本発明は、椅子の足載せ台高さ調節装置に係わり、更に詳しくは高さ調節可能な回転椅子の支軸に設けた足載せ台を所定高さ位置に固定する装置に関するものである。
【背景技術】
【０００２】
従来から学習用の椅子は、子供の体格に応じて、また成長に応じて座部の高さを調節できるようにしたものが主流である。回転椅子では、脚部の脚柱に伸縮自在なガスシリンダーを内蔵し、座部の高さを容易に調節できるようになっている。一方、机においては、天板の高さを調節できるものもあるが、最近では天板の高さが固定式のものが主流である。その場合、机天板を基準として、椅子の座部の高さを調節することになるが、体格が小さい場合には着座状態で足が床面から離れるようになる。そこで、椅子の脚部に足載せ台を高さ調節可能に設け、着座者の足を安楽な状態で載せることができるようにしている。
【０００３】
ここで、回転椅子の脚柱に設ける足載せ台として、中央部に脚柱に保持する保持部を設け、該保持部から外側に延びた支持部で足載せ部を支持した構造が一般的であり、前記保持部を前記脚柱に外嵌し、締付手段で該脚柱を外側から締付けて所定高さで保持するようにしている。例えば、平面視リング状の保持部を、前記座部を外した状態で脚柱の上端から外嵌し、保持部を貫通して側方から螺合した締付ネジで前記脚柱の側面を押圧して締付ける構造や、座部を脚柱に取付けたまま、脚柱の側方から平面視Ｃ字形の保持部を該脚柱に外嵌し、保持部の開放部に前記脚柱を取り囲むように別部材を配して、該別部材と保持部とで脚柱を取り囲み、そして保持部を貫通して側方から螺合した締付ネジで前記脚柱の側面を押圧して締め付ける構造（特許文献１参照）や、別部材の一端部を保持部に軸着し、他端部を締付ネジで保持部に接近するように変位させて、保持部と別部材とで脚柱を周囲から締め付ける構造（特許文献２参照）等が提案されている。
【０００４】
しかし、円柱状の脚柱に足載せ台の保持部を締付手段で締め付けて保持する構造では、締付ネジが緩むと下方にずれ落ちることは原理的に避けられない。また、常時、締付ネジをきつく締め付けておく必要があるので、足載せ台の高さを調節するときに締付ネジを緩めることが困難な場合も生じる。一方、足載せ台のずり落ちを防止するために、前記脚柱の側面に上下に所定間隔毎に係合穴を設けておき、前記締付ネジの先端を所定の係合穴に係合するようにしたものも提供されているが、係合穴が露出して見苦しかったり、また締付ネジと係合穴の位置合わせが面倒であったり、足載せ台の回転位置が固定的であるので回転対称形の足載せ部にする必要があるといった課題はある。
【先行技術文献】
【特許文献】
【０００５】
【特許文献１】特開２００４−１５９９２０号公報
【特許文献２】特開２００７−１８１６１４号公報
【発明の概要】
【発明が解決しようとする課題】
【０００６】
そこで、本発明が前述の状況に鑑み、解決しようとするところは、椅子の脚柱に足載せ台の保持部を外嵌し、所定高さに足載せ台を保持するとともに、簡単な構造によって足載せ台のずり落ちを確実に防止することができる椅子の足載せ台高さ調節装置を提供する点にある。
【課題を解決するための手段】
【０００７】
本発明は、前述の課題解決のために、脚部に立設した脚柱の上端に座部を取付け、該脚柱に足載せ台の保持部を外嵌して所定高さに保持する構造の椅子の足載せ台高さ調節装置であって、前記保持部より下方の前記脚柱に、単又は複数の規制部材を嵌着して該保持部を当止し、前記足載せ台の下降を規制することを特徴とする椅子の足載せ台高さ調節装置を構成した（請求項１）。
【０００８】
ここで、前記規制部材は、平面視略Ｃ字形の弾性変形可能な部材であり、複数の該規制部材を前記脚柱に側方から嵌着して上下に積層し、前記足載せ台の保持部は前記脚柱に上方から嵌合し又は側方から嵌合して保持する構造であることが好ましい（請求項２）。
【０００９】
あるいは、前記規制部材は、リング状の一体部材又は複数の部材を組み合わせたリング状の複合部材であり、複数の該規制部材を前記脚柱に嵌着して上下に積層し、前記足載せ台の保持部は前記脚柱に上方から嵌合し又は側方から嵌合して保持する構造であることが好ましい（請求項３）。
【００１０】
具体的には、前記脚部は、放射状に延びた複数の支脚の中心部に脚柱を立設し、該支脚の中心部の支持台と前記足載せ台の保持部の間の前記脚柱に、単又は複数の規制部材を嵌着してなるのである（請求項４）。
【００１１】
そして、前記保持部より下方の前記脚柱に嵌着する規制部材の枚数を調節して前記足載せ台の高さを調節し、不要な規制部材を保持部より上方の前記脚柱に嵌着して保管してなるのである（請求項５）。
【発明の効果】
【００１２】
以上にしてなる請求項１に係る発明の椅子の足載せ台高さ調節装置は、脚部に立設した脚柱の上端に座部を取付け、該脚柱に足載せ台の保持部を外嵌して所定高さに保持する構造の椅子の足載せ台高さ調節装置であって、前記保持部より下方の前記脚柱に、単又は複数の規制部材を嵌着して該保持部を当止し、前記足載せ台の下降を規制するので、保持部を脚柱に保持する構造がどのようなものであっても、簡単な構造で足載せ台の下降を確実に防止することができ、しかも保持部より下方の脚柱に複数の規制部材を嵌着する構造では、規制部材の枚数を設定することにより、足載せ台の高さを他段階で調節することができるのである。
【００１３】
請求項２によれば、前記規制部材は、平面視略Ｃ字形の弾性変形可能な部材であり、複数の該規制部材を前記脚柱に側方から嵌着して上下に積層し、前記足載せ台の保持部は前記脚柱に上方から嵌合し又は側方から嵌合して保持する構造であるので、脚柱に側方から規制部材を容易に嵌着することができ、また規制部材を脚柱から外すことも容易であり、足載せ台の高さに応じて必要枚数の規制部材を脚柱に容易に装着することができる。
【００１４】
請求項３によれば、前記規制部材は、リング状の一体部材又は複数の部材を組み合わせたリング状の複合部材であり、複数の該規制部材を前記脚柱に嵌着して上下に積層し、前記足載せ台の保持部は前記脚柱に上方から嵌合し又は側方から嵌合して保持する構造であるので、個々の規制部材が回転してずれても外観性に及ぼす影響は少なく、また足載せ台の保持部が脚柱に側方から嵌合して保持する構造である場合には、複数のリング状規制部材を脚柱に嵌挿したまま、余分な枚数の規制部材を上方へスライドさせて露出させた脚柱に側方から足載せ台の保持部を嵌合して保持することにより高さを容易に調節することができる。
【００１５】
請求項４によれば、前記脚部は、放射状に延びた複数の支脚の中心部に脚柱を立設し、該支脚の中心部の支持台と前記足載せ台の保持部の間の前記脚柱に、単又は複数の規制部材を嵌着してなるので、足載せ台に加わる荷重を規制部材を介して脚部の支持台で受けるので、支持強度が非常に高く、足載せ台の上に立っても安定である。
【００１６】
請求項５によれば、前記保持部より下方の前記脚柱に嵌着する規制部材の枚数を調節して前記足載せ台の高さを調節し、不要な規制部材を保持部より上方の前記脚柱に嵌着して保管してなるので、保持部より下方の脚柱に嵌着する規制部材の枚数を設定して足載せ台の高さを他段階に調節した場合に、余った規制部材を保持部より上方の脚柱に嵌着して保管することができるので、規制部材を紛失することがなく、必要なときに必要枚数の規制部材を使用することができる。
【図面の簡単な説明】
【００１７】
【図１】本発明に係る椅子の足載せ台高さ調節装置を適用した回転椅子の斜視図である。
【図２】同じく足載せ台を高い位置で保持した状態の椅子の側面図である。
【図３】同じく足載せ台を低い位置で保持した状態の椅子の側面図である。
【図４】第１実施形態の規制部材の斜視図である。
【図５】同じく規制部材を示し、（ａ）は平面図、（ｂ）は側面図である。
【図６】脚部に足載せ台を取付けた状態の部分縦断側面図である。
【図７】足載せ台の保持部を脚柱に保持する構造を示す横断平面図である。
【図８】足載せ台の保持部を脚柱に保持する他の構造を示す横断平面図である。
【図９】規制部材の第１実施形態の第１変形例を示す斜視図である。
【図１０】規制部材の第１実施形態の第２変形例を示す斜視図である。
【図１１】規制部材の第１実施形態の第３変形例を示す斜視図である。
【図１２】規制部材の第２実施形態を示す斜視図である。
【図１３】規制部材の第２実施形態の第１変形例を示し、（ａ）は斜視図、（ｂ）は分割部材の斜視図である。
【図１４】規制部材の第２実施形態の第２変形例を示し、（ａ）は斜視図、（ｂ）は分割部材の斜視図である。
【図１５】規制部材の第２実施形態の第３変形例を示し、（ａ）は閉じた状態の斜視図、（ｂ）は開いた状態の斜視図である。
【発明を実施するための形態】
【００１８】
次に、添付図面に示した実施形態に基づき、本発明を更に詳細に説明する。図１は本発明の実施形態に係る回転椅子を示し、図２〜図８は本発明の詳細を示し、図中符号１は脚部、２は座部、３は背凭れ部、４は足載せ台をそれぞれ示している。
【００１９】
本発明に係る回転椅子は、脚部１に座部２を回転可能に支持するとともに、前記座部２に対して背凭れ部３を前後及び高さ調節可能に支持した構造である。
【００２０】
具体的には、前記脚部１は、放射状に延びた５本の支脚５，…の中心部に円柱状の脚柱６を立設し、該脚柱６に伸縮自在なガスシリンダー７の内蔵した構造である。前記座部２は、金属製の支持体８の上部に座板９を取付けた構造であり、該支持体８を前記脚部１のガスシリンダー７の上端に連結している。更に、前記ガスシリンダー７は、前記脚柱６に対して回転規制具１０で回転可能状態と回転不能状態がとれるようになっている。また、前記背凭れ部３は、両側に立起した背凭れ支持杆１１，１１の上端部に背凭れ板１２を取付けた構造であり、両背凭れ支持杆１１，１１の下端部は連結杆１３で連続し、正面視略Ｕ字形の一体部材となっており、この連結杆１３を前記座部２の支持体８に調節可能に連結している。つまり、前記支持体８の下面後部に前下がりの傾斜レール部１４を設け、該傾斜レール部１４に沿ってスライド移動する移動体１５を設け、前記背凭れ部３の連結杆１３を該移動体１５に固定するとともに、調節ハンドルを操作して前記移動体１５の傾斜レール部１４に対する位置を固定できるようになっている。それにより、着座者の体格に応じて前記背凭れ板１２の奥行方向の位置と高さを同時に調節できるようになっている。
【００２１】
前記足載せ台４は、図７及び図８に示すように、前記脚部１の脚柱６に保持する保持部１６と、該保持部１６から外側に延びた支持部１７と、該支持部１７で支持された足載せ部１８とから構成され、前記保持部１６は、前記脚柱６に外嵌し、締付手段１９で該脚柱６を外側から締付けることにより回転不能に保持することができるようになっている。更に、前記支脚５，…の中心部の支持台２０と前記足載せ台４の保持部１６との間の前記脚柱６に、単又は複数の規制部材２１，…を嵌着し、前記足載せ台４の下降を規制している。前記脚部１の支持台２０は水平な面を有し、前記保持部１６の下面とは平行になっている。尚、本発明において、前記締付手段１９の存在は必須ではない。
【００２２】
そして、第１実施形態の前記規制部材２１は、図４及び図５に示すように、平面視略Ｃ字形の弾性変形可能な部材であり、側面視において上面と下面が平行に形成された合成樹脂製の一体成形品である。前記規制部材２１は、本体部２２が前記脚柱６の外周面の半径に一致する内径を有し、両開放端は外側へ若干拡開した受入部２３，２３を形成し、前記脚柱６に側方から容易に外嵌できるようになっている。
【００２３】
本発明では、前記脚柱６に外嵌した保持部１６を締付手段１９で締付けて保持することを前提とする以外は、前記足載せ台４の構造は任意である。図７に示した実施形態では、平面視形状において約２７０度の中心角を有する足載せ部１８を有し、その中止部に円筒形の保持部１６を形成し、該保持部１６の周囲から半リング状の前記足載せ部１８に等間隔で３本の支持部１７，…が延びて一体化し、前記保持部１６には前記脚柱６の半径と一致又は若干大きい半径の嵌合孔２４を形成してあり、前記足載せ部１８が存在しない側面から嵌合孔２４にかけて締付手段１９として締付ネジ２５を螺合した構造である。この場合、前記座部２を外した状態で、前記脚柱６の上端から前記足載せ台４の保持部１６の嵌合孔２４を嵌挿し、該足載せ台４の保持部１６と脚部１の支持台２０との間の脚柱６に所定枚数の規制部材２１を嵌着し、各規制部材２１，…を積層し、その上に前記保持部１６を載置した状態で、前記締付ネジ２５をねじ込んで前記脚柱６の側面を押圧して回転しないように保持するのである。ここで、前記足載せ台４の高さ調節に使用しない残余の規制部材２１は、前記保持部１６より上方の脚柱６に嵌着して保管するのである。
【００２４】
また、図８に示した実施形態では、平面視形状において約２７０度の中心角を有する足載せ部１８を有し、その中止部に該足載せ部１８と略同じ中心角を有する半円筒形の保持部１６を形成し、該保持部１６の周囲から半リング状の前記足載せ部１８に等間隔で３本の支持部１７，…が延びて一体化し、前記保持部１６の内周面は前記脚柱６の半径と一致又は若干大きい半径の半円筒面２６となっており、前記脚柱６を側方から受け入れることができるようになっている。更に、前記締付手段１９として、締付部材２７の一端部を前記保持部１６の開放部の一端部に脚柱６と平行な支軸２８で回動可能に軸着し、締付部材２７の他端部を締付ネジ２９で前記保持部１６の開放部の他端部に、該保持部１６に接近するように変位させて、該保持部１６と締付部材２７とで前記脚柱６を周囲から締め付けるのである。勿論、本実施形態でも、前記足載せ台４の保持部１６と脚部１の支持台２０との間の脚柱６に所定枚数の規制部材２１を嵌着し、各規制部材２１，…を積層し、その上に前記保持部１６を載置した状態で、前記締付ネジ２９で締め付けるのである。
【００２５】
本実施形態では、３枚の規制部材２１，…を用いて、前記足載せ台４の高さを４段階に調節することができるようになっているが、上下高さが低い規制部材２１を更に多数枚用いて足載せ台４の高さ調節ピッチを小さくし、より細かな高さ調節ができるようにすることも可能である。図２は、前記保持部１６と支持台２０の間に３枚の規制部材２１，…を介装した状態で、最も高い位置に足載せ台４を設定している。図３は、記保持部１６と支持台２０の間に１枚の規制部材２１，…を介装した状態で、下から２段目の高さ位置に足載せ台４を設定している。
【００２６】
次に、図９〜図１１に基づいて、第１実施形態の前記規制部材２１の変形例を説明する。図９に示した第１実施形態の第１変形例の規制部材２１Ａは、前記受入部２３，２３の一方の上面に半球状の突起３０を突設し、他方の上面に該突起３０を係合可能な凹部３１を形成し、前記受入部２３，２３の下面には逆の関係で突起３０と凹部３１を形成し、上下反転対称形となっている。この規制部材２１Ａは、上下に重ねた際に、突起３０と凹部３１が係合し、正確な位置に積層できるようにしたものであり、外観性が良くなる利点がある。その代わり、前記保持部１６の下面と支持台２０の上面に前記突起３０を受け入れる環状凹部を形成する必要がある。尚、前記支持台２０の上面に前記突起３０を係合する凹部を一定間隔毎に形成した凹凸面を形成し、何れかの凹部に前記突起３０を係合して規制部材２１Ａの回転を防止することも可能である。
【００２７】
また、図１０に示した第１実施形態の第２変形例の規制部材２１Ｂは、前記本体部２２の外側面で、前記受入部２３，２３を設けた側とは反対側の中央部に、縦方向に延びた把手部３２を突設するとともに、該把手部３２を中心とした両側に三角形状の指掛け部３３，３３を突設したものである。この規制部材２１Ｂは、前記把手部３２を持って前記脚柱６に嵌着したり、回転角度を調節したりすることができ、また前記指掛け部３３，３３に指を掛けて手前に引いて脚柱６から外すことができる。
【００２８】
そして、図１１に示した第１実施形態の第３変形例の規制部材２１Ｃは、前述の規制部材２１Ｂの把手部３２の代わりに、水平方向に延びた把手部３４を突設したものであり、その他は前述の規制部材２１Ｂと同じである。
【００２９】
最後に、図１２に基づいて第２実施形態の規制部材３５を説明する。図１３〜図１５は第２実施形態の規制部材３５の変形例である。先ず、図１２に示した第２実施形態の規制部材３５は、リング状の一体部材からなり、前記脚柱６に上方から嵌挿して装着する。この規制部材３５は、合成樹脂製でも金属製でも構わない。そして、前記規制部材３５は、一体成形することも、円筒部材を所定長さに切断して製造しても良い。この場合、図７に示すような足載せ台４の保持部１６の構造では、前記座部２を脚柱６から外した状態で、必要枚数の規制部材３５，…を該脚柱６に上方から嵌挿した後、前記足載せ台４の保持部１６を前記脚柱６に上方から嵌合して保持するのである。一方、図８に示すような足載せ台４の保持部１６の構造では、予め全枚数の規制部材３５，…を該脚柱６に上方から嵌挿するとともに、該脚柱６の上端に前記座部２を取付けた状態で、余分な枚数の規制部材３５を上方へスライドさせて露出させた脚柱６に側方から足載せ台４の保持部１６を嵌合して保持することにより高さを調節するのである。尚、後述の規制部材３５の変形例のように、複数の部材を組み合わせたリング状の複合部材で、前記脚柱６に後で側方から取付けることができる構造のものは、前述の第１実施形態の規制部材２１と同様な使い方も可能である。
【００３０】
図１３に示した第２実施形態の第１変形例の規制部材３５Ａは、二つの半リング状の分割部材３６，３７を互いの端部を突き合わせて接合してリング状となしたものである。図示したものは、分割部材３６，３７は同一形状部材であり、一方の接合端部に突部３８を形成するとともに、他方の接合端部に前記突部３８を嵌合する凹部３９を形成したものである。ここで、前記突部３８と凹部３９の嵌合構造としては、着脱可能な構造や抜止め状態で無理嵌めする構造等が可能である。
【００３１】
図１４に示した第２実施形態の第２変形例の規制部材３５Ｂは、二つの半リング状の分割部材４０，４１を互いの端部を軸方向にスライドさせて係合してリング状となしたものである。図示したものは、分割部材４０，４１は同一形状部材であり、一方の接合端部に半径方向外向きの突条４２とその基部に係合溝４３を形成し、他方の接合端部に半径方向内向きの突条４４とその基部に係合溝４５を形成した形状である。そして、両分割部材４０，４１を互いに反転させて前記脚注６の外周面に沿わせ、一方の分割部材４０の突条４２と係合溝４３にそれぞれ他方の分割部材４１の係合溝４５と突条４４を軸方向にスライドさせて係合し、リング状の規制部材３５Ｂとする。尚、前述の係合構造の変わりにアリとアリ溝の関係でも良い。
【００３２】
図１５に示した第２実施形態の第３変形例の規制部材３５Ｃは、二つの半リング状の分割部材４６，４７の一端部をヒンジ部４８で開閉可能に連結するとともに、他端部を互いに係合部４９で係脱可能に係合してリング状となしたものである。前記ヒンジ部４８は、分割部材４６，４７の一端部を互いに噛合させ、軸方向のピン５０で回動可能に連結した構造であるが、ピン５０を使わずに構成することも可能である。また、前記係合部４９は、一方の分割部材４６の接合端部に半径方向外向きの突条５１とその基部に係合溝５２を形成し、他方の分割部材４７の接合端部に半径方向内向きの突条５３とその基部に係合溝５４を形成した形状である。そして、両分割部材４６，４７を前記脚注６の側方から挟むように閉じて、分割部材４６の突条５１と係合溝５２を分割部材４７の係合溝５４と突条５３にそれぞれ係合して容易に拡開しないようにしている。
【符号の説明】
【００３３】
１  脚部、              ２  座部、
３  背凭れ部、          ４  足載せ台、
５  支脚、              ６  脚柱、
７  ガスシリンダー、    ８  支持体、
９  座板、              １０  回転規制具、
１１  背凭れ支持杆、    １２  背凭れ板、
１３  連結杆、          １４  傾斜レール部、
１５  移動体、          １６  保持部、
１７  支持部、          １８  足載せ部、
１９  締付手段、        ２０  支持台、
２１  規制部材、        ２１Ａ  規制部材、
２１Ｂ  規制部材、      ２１Ｃ  規制部材、
２２  本体部、          ２３  受入部、
２４  嵌合孔、          ２５  締付ネジ、
２６  半円筒面、        ２７  締付部材、
２８  支軸、            ２９  締付ネジ、
３０  突起、            ３１  凹部、
３２  把手部、          ３３  指掛け部、
３４  把手部、          ３５  規制部材、
３５Ａ  規制部材、      ３５Ｂ  規制部材、
３５Ｃ  規制部材、      ３６  分割部材、
３７  分割部材、        ３８  突部、
３９  凹部、            ４０  分割部材、
４１  分割部材、        ４２  突条、
４３  係合溝、          ４４  突条、
４５  係合溝、          ４６  分割部材、
４７  分割部材、        ４８  ヒンジ部、
４９  係合部、          ５０  ピン、
５１  突条、            ５２  係合溝、
５３  突条、            ５４  係合溝。
【図１】
2010279413.tif 000003
【図２】
2010279413.tif 000004
【図３】
2010279413.tif 000005
【図４】
2010279413.tif 000006
【図５】
2010279413.tif 000007
【図６】
2010279413.tif 000008
【図７】
2010279413.tif 000009
【図８】
2010279413.tif 000010
【図９】
2010279413.tif 000011
【図１０】
2010279413.tif 000012
【図１１】
2010279413.tif 000013
【図１２】
2010279413.tif 000014
【図１３】
2010279413.tif 000015
【図１４】
2010279413.tif 000016
【図１５】
2010279413.tif 000017